(57)【特許請求の範囲】
【請求項１】
劇場、多目的ホール及びアリーナ等の観客収容施設において、２階以上の床面に湾曲した走行レールを敷設すると共に該走行レール上に可動バルコニーを走行自在に配設し、該可動バルコニーに駆動装置及びロック機構を設けた可動バルコニー装置において、 前記可動バルコニーは、前記走行レール上に走行台車を走行可能に支持させると共に該走行台車に旋回機構を介してバルコニー席フレームを旋回自在に支持し、更に、前記バルコニー席フレームに設けられる前記駆動装置に、ガイド機構としてガイドローラを設け、前記可動バルコニーの前記走行レールに沿った走行に応じて、該ガイドローラが建築躯体壁面に設けられた駆動用レールに拘束されることにより、前記走行台車に対して前記バルコニー席フレームが旋回することを特徴とする可動バルコニー装置。
【発明の詳細な説明】
【０００１】
【発明の属する技術分野】
本発明は、可動バルコニー装置に関する。例えば、劇場建築物の客席設備に適用されるものである。その他、多目的ホール、アリーナ、スタジアム等に応用できるものである。
【０００２】
【従来の技術】
劇場、多目的ホール及びアリーナ等の観客収容施設において、従来の客席設備では、１階部分は可動とし、劇場、多目的ホールで行われるイベント（コンサート、演劇、ボクシング等）に対応し、各種のパターンを配置していたが、２階部分については固定客席としていた。
【０００３】
【発明が解決しようとする課題】
上述したように、従来の客席設備では、２階部分は、可動となっていないため、劇場（ホール）の利用法により、舞台部分を前方に広くとった場合、客席からの見切り及び視線確保のため、使用できない箇所が発生する。
また、舞台から客席を充分に仕切れることができない為、照明効果等の演出効果が低下する。
【０００４】
【課題を解決するための手段】
本発明は、上述した従来技術に鑑みてなされたものであり、利用形態に応じて、２階部分の客席設備を自由に移動できるようにすることを目的とする。
【０００５】
【発明の実施の形態】
斯かる目的を達成する本発明の請求項１に係る可動バルコニー装置は、劇場、多目的ホール及びアリーナ等の観客収容施設において、２階以上の床面に湾曲した走行レールを敷設すると共に該走行レール上に可動バルコニーを走行自在に配設し、該可動バルコニーに駆動装置及びロック機構を設けた可動バルコニー装置において、 前記可動バルコニーは、前記走行レール上に走行台車を走行可能に支持させると共に該走行台車に旋回機構を介してバルコニー席フレームを旋回自在に支持し、更に、前記バルコニー席フレームに設けられる前記駆動装置に、ガイド機構としてガイドローラを設け、前記可動バルコニーの前記走行レールに沿った走行に応じて、該ガイドローラが建築躯体壁面に設けられた駆動用レールに拘束されることにより、前記走行台車に対して前記バルコニー席フレームが旋回することを特徴とする。
【０００８】
【発明の実施の形態】
本発明の可動バルコニー装置は、客席の利用パターンに応じて、駆動部を走行源にして、湾曲した走行レール上を進むことができる。
また、駆動装置に備えられたガイド機構であるガイドローラが建築躯体壁面に設けられた駆動用レールに拘束されることにより、走行台車に対してバルコニー席フレームが旋回機構により旋回する。
更に、停止位置では、ロック装置によりバルコニー席を建築躯体に固定することができる。
【０００９】
【実施例】
本発明の一実施例に係る可動バルコニー装置を図１〜図４に示す。本実施例は、多目的ホールに適用したものである。図１は可動バルコニー装置の配置図、図２は可動バルコニー装置の走行台車の断面図、図３は可動バルコニー装置の駆動台車の断面図、図４は可動バルコニー装置の駆動部の配置図である。
【００１０】
同図に示すように、多目的ホールには、建築コンクリート壁面（建築躯体）１２に沿った床面に走行レール３が湾曲して配設されると共にこの走行レール３上に可動バルコニー１が走行自在に配設されている。
可動バルコニー１は、走行レール３上に４個の走行車輪４を介して走行台車２を支持すると共にこの走行台車２上にバルコニー席フレーム５を旋回ベアリング６を介して水平面内で旋回可能に支持したものである。
【００１１】
バルコニー席フレーム５には、上下多段に客席が傾斜して配置されているが、図３，４では省略してある。旋回ベアリング６に代えてエアベアリングを用いても同様な効果を生じる。
建築コンクリート壁面１２には、チェーンの取り付けられた駆動用レール１０が水平方向に沿って取り付けられている。
【００１２】
一方、駆動用レール１０により可動バルコニー１を移動させるための駆動装置７がバルコニー席フレーム５に設けられている。
即ち、バルコニー席フレーム５には、駆動用レール１０のチェーンと噛み合うチェーンホイル９が配設されており、このチェーンホイル９には減速機付駆動用モータ８が取り付けられている。
【００１３】
更に、この駆動装置７には、ガイド機構として、駆動用レール１０に対する上下方向及び図３での左方向への動きを拘束するガイドローラ１１が設けられている。
従って、駆動用モータ８の回転を減速機を介して減速しチェーンホイル９へ伝え、チェーンホイル９を回転させ、駆動用レール１０との噛み合いにより搬送力を生じさせ、駆動用レール１０に沿って可動バルコニー１を曲がりながら移動させることができる。
【００１４】
ここで、可動バルコニー１が駆動用レール１０に沿って曲がりながら移動する際、ガイド機構であるガイドローラ１１が駆動用レール１０に拘束されるため、旋回ベアリング６を中心として、走行台車２に対してバルコニー席フレーム５が旋回することとなる。
【００１５】
例えば、図１，４中の下半分（Ａ）に示すエンドステージパターンように、可動バルコニー１を図中右側へ移動させる際、また、同図中の上半分（Ｂ）に示すセンターステージパターンのように、可動バルコニー１を図中左側へ移動させる際、バルコニー席フレーム５の客席が常に施設の中心を向くように、可動バルコニー１が旋回することとなる。
【００１６】
このように、可動バルコニー１を移動することにより、客席のレイアウトによった配置が可能となり、客席からの有効な視線の確保が可能となる。同様に、客席からの見切りが容易となる。
尚、可動バルコニー１には、図４に示すようにロック装置１３が一台につき３台具備されており、所定の停止位置で、ロックピン用電動シリンダー１４が伸長することにより、建築コンクリート１５に固定されたロックピン１６を保持し、可動バルコニー１は、建築コンクリート１５に対して固定できるようになっている。
【００１７】
また、本実施例では、多目的ホールに適用した例について説明したが、これに限るものではなく、劇場、アリーナ又はスタジアム等の観客収容施設に広く適用することが可能である。
更に、適用する階数も、２階以上であれば、３階席、４階席等にも利用することが可能である。
【００１８】
【発明の効果】
以上、実施例に基づいて具体的に説明したように、本発明では、次の効果を奏する。
（１）客席が移動することにより、客席のレイアウトによった配置が可能になり、客席からの有効な視線が確保できる。
（２）客席から見切りが容易となる。
（３）客席が常に施設の中央に向くように旋回させることができる。
【図面の簡単な説明】
【図１】本発明の一実施例に係る可動バルコニー装置の配置図である。
【図２】可動バルコニー装置の走行台車の断面図である。
【図３】可動バルコニー装置の駆動台車の断面図である。
【図４】可動バルコニー装置の駆動部の配置図である。
【図５】ロック装置の外形図である。
【符号の説明】
１ 可動バルコニー
２ 走行台車
３ 走行レール
４ 走行車輪
５ バルコニー席フレーム
６ 旋回ベアリング
７ 駆動装置
８ 減速機付モータ
９ チェーンホイル
１０ 駆動用レール
１１ ガイドローラ
１２ コンクリート壁面
１３ ロック装置
１４ ロックピン用電動シリンダー
１５ 建築コンクリート
１６ ロックピン
【図１】
0003592901.tif 000002
【図２】
0003592901.tif 000003
【図３】
0003592901.tif 000004
【図４】
0003592901.tif 000005
【図５】
0003592901.tif 000006